(57)【特許請求の範囲】
【請求項１】
ディスプレイを有する主筐体と操作部を有する副筐体とを重合して備えた携帯情報端末であって、
前記副筐体には、前記携帯情報端末の基本機能の操作に必要とされるキーボードと前記携帯情報端末の拡張機能の操作に必要とされるフルキーボードとが前記主筐体の正面からの投影面積に収まる範囲内で配備され、
前記キーボードが前記フルキーボードと独立して操作可能位置に引き出せるように構成されると共に、前記キーボードやフルキーボードが引き出された状態で、前記キーボードやフルキーボードのキーが、前記ディスプレイに固定的に設定された天地左右の表示方向と合致するように配列されていることを特徴とした携帯情報端末。
【請求項２】
前記主筐体の裏面側に前記副筐体がスライド可能に取り付けられると共に、前記副筐体がスライドした状態で外部に露出する副筐体の表面部分に展開式の開閉パネルが設けられ、前記開閉パネルの表側には前記キーボードが配備される一方、前記開閉パネルの裏側および前記副筐体の前記表面部分には、前記フルキーボードが配備されていることを特徴とした請求項１記載の携帯情報端末。
【請求項３】
前記開閉パネルが中央部で分割されて両開き構造とされていることを特徴とした請求項２記載の携帯情報端末。
【請求項４】
前記キーボードがテンキーを備えていることを特徴とした請求項１，請求項２または請求項３のうち何れか一項に記載の携帯情報端末。
【請求項５】
前記キーボードがソフトキー，カーソルキー，オフフックキー，オンフックキーを備えていることを特徴とした請求項１，請求項２または請求項３のうち何れか一項に記載の携帯情報端末。
【請求項６】
前記副筐体が、前記主筐体の裏面側の一部に重合する第１キーボードと前記主筐体の裏面側の他の一部に重合する第２キーボードからなり、
前記第１キーボードが、前記主筐体の裏面側にスライド可能に取り付けられる一方、前記第２キーボードは、前記第１キーボードと当接する辺の一端部で前記第１キーボードに対して１８０°回転可能に枢着されて前記第１キーボードに取り付けられると共に、
前記第２キーボードにフルキーボードの機能の一部を割り当て、前記第１キーボードには前記携帯情報端末の基本機能の操作に必要とされる機能もしくはフルキーボードの機能の他部を選択的に割り当てるキー機能選択手段を備えたことを特徴とした請求項１記載の携帯情報端末。
【請求項７】
前記副筐体が、前記主筐体の裏面側の一部に重合する第１キーボードと前記主筐体の裏面側の他の一部に重合する第２キーボードからなり、
前記第１キーボードおよび前記第２キーボードの各々が、相互に当接する辺の一端部で前記主筐体に対して９０°回転可能に枢着されて前記主筐体に取り付けられると共に、
前記第２キーボードにフルキーボードの機能の一部を割り当て、前記第１キーボードには前記携帯情報端末の基本機能の操作に必要とされる機能もしくはフルキーボードの機能の他部を選択的に割り当てるキー機能選択手段を備えたことを特徴とした請求項１記載の携帯情報端末。
【発明の詳細な説明】
【技術分野】
【０００１】
本発明は、フルキーボードを備えた携帯情報端末の改良に関する。
【背景技術】
【０００２】
フルキーボードを備えた携帯情報端末としては、ディスプレイを有する筐体の下端部にフルキーボードを実装した一般的な携帯情報端末のほか、特許文献１に開示される電子装置や特許文献２に開示される携帯型電子機器が公知である。
【０００３】
ディスプレイを備えた筐体の下端部にフルキーボードを実装した一般的な携帯情報端末は、図１０に示されるように、ディスプレイ１０１を有する筐体１００の下端部の僅かなスペースにフルキーボード１０２を実装する必要上、キーの一つ一つが著しく小さくなり、キーの操作にペン等が必要となる問題があって実用性に欠ける。
【０００４】
特許文献１に開示される電子装置は、図１１に示されるように、ディスプレイ１０１を有する筐体１００の下端部に展開式の開閉パネル１０３を設け、開閉パネル１０３の表側に電子装置の基本機能の操作に必要とされるキーボード１０４を配備する一方、開閉パネル１０３の裏側および当該開閉パネル１０３に重合する筐体１００の表面部分１００ａにフルキーボード１０２を配備したものであり、フルキーボード１０２を実装するスペースが広くなるため、比較的に大きなキーを配置することが可能となり、フルキーボード１０２の操作性が向上する。
しかしながら、筐体１００の下端部に操作部を配置している点では図１０に示した携帯情報端末と同様であり、大型のディスプレイ１０１を搭載すると筐体１００自体が大型化する不都合がある。
【０００５】
特許文献２に開示される携帯型電子機器は、図１２に示されるように、フルキーボード１０２を備えた筐体１００上に回転軸Ｐを中心としてディスプレイ１０１を回転可能に取り付けると共に、筐体１００の下面側にテンキーケース１０５をスライド可能に取り付けた構成を有するが、携帯型電子機器が三層構造となるため全体としての厚みが冗長される弊害がある。
また、ディスプレイ１０１を筐体１００に重合させて携帯型電子機器を携帯電話として利用する場合にはディスプレイ１０１を縦長の状態で使用する一方、ディスプレイ１０１を回転させてフルキーボード１０２を露出させた状態つまり携帯型電子機器をデータ入力装置として利用する場合にはディスプレイ１０１を横長の状態で使用することになるので、利用されるアプリケーションソフトによっては携帯型電子機器の使用状態の違いに応じて表示画面の縦横比が変化する場合がある。従って、アプリケーションソフトの側で画面の回転処理に対処する必要があり、ソフトウェアの開発費が冗長される弊害が生じる。
【０００６】
【特許文献１】特表２００５−５０５１７３号（Figure1，Figure 2）
【特許文献２】特開２００７−１７９５２５号公報
【発明の開示】
【発明が解決しようとする課題】
【０００７】
本発明の課題は、フルキーボードの操作性と携帯情報端末のコンパクト性および使用感を維持した状態で、画面の回転処理を必要としない携帯情報端末を提供することにある。
【課題を解決するための手段】
【０００８】
本発明の携帯情報端末は、ディスプレイを有する主筐体と操作部を有する副筐体とを重合して備えた携帯情報端末であり、前記課題を達成するため、特に、
前記副筐体には、前記携帯情報端末の基本機能の操作に必要とされるキーボードと前記携帯情報端末の拡張機能の操作に必要とされるフルキーボードとが前記主筐体の正面からの投影面積に収まる範囲内で配備され、
前記キーボードが前記フルキーボードと独立して操作可能位置に引き出せるように構成されると共に、前記キーボードやフルキーボードが引き出された状態で、前記キーボードやフルキーボードのキーが、前記ディスプレイに固定的に設定された天地左右の表示方向と合致するように配列されていることを特徴とした構成を有する。
【発明の効果】
【０００９】
本発明の携帯情報端末は、携帯情報端末の基本機能の操作に必要とされるキーボードと拡張機能の操作に必要とされるフルキーボードとが主筐体の正面からの投影面積に収まる範囲内で副筐体に配備されているので、携帯情報端末のコンパクト性が維持される。
また、携帯情報端末の基本機能の操作は、基本機能の操作に必要とされるキーボードのみを操作可能位置に引き出すことで実現できるので、基本機能の操作に際してフルキーボードが邪魔になることはなく、携帯情報端末の使用感が維持される。
更に、キーボードやフルキーボードにおけるキーの配列は、キーボードやフルキーボードが引き出された状態で、ディスプレイに固定的に設定された天地左右の表示方向と合致するようになっているので、ディスプレイに表示される画面の回転処理は不要であり、ソフトウェアの開発費が軽減される。
【００１０】
しかも、フルキーボードは、開閉パネルの裏側と副筐体の表面部分に跨って配備されるか、あるいは、第１キーボードと第２キーボードに跨って配備されるかの何れかであり、キーの配置に十分なスペースが保証されるので、フルキーボードのキーの操作性も損なわれることがない。
【発明を実施するための最良の形態】
【００１１】
次に、本発明を実施するための最良の形態について幾つかの具体例を挙げて詳細に説明する。
【実施例１】
【００１２】
図１は本発明を携帯情報端末の一種である携帯電話に適用した場合の一実施形態について外観を示した斜視図であり、図１（ａ）では携帯電話を完全に折り畳んだ状態について、また、図１（ｂ）では携帯電話の基本機能の操作に必要とされるキーボードのみを操作可能位置引き出した状態について、更に、図１（ｃ）では携帯電話の拡張機能の操作に必要とされるフルキーボードを操作可能位置に引き出した状態について示している。
【００１３】
携帯情報端末の一種である携帯電話１は、図１（ａ）に示されるように、ディスプレイ１０１を有する主筐体２と、操作部３を構成するキーボード４およびフルキーボード５を備えた副筐体６とを重合して構成される。
【００１４】
ディスプレイ１０１は、ＬＣＤ等からなる表示部の上にタッチパネルを重合して構成したもので、タッチパネルに対する押圧操作によって、携帯電話１に対する簡単なコマンドの入力操作や受信済みの電子メールの表示処理等が行えるようになっている。
【００１５】
また、主筐体２の上端部にはスピーカ１２が配置され、副筐体６の下端部にはマイク１３が配置されている。
【００１６】
副筐体６は主筐体２の裏面側にスライド可能に取り付けられており、図１（ａ）に示されるように、副筐体６が主筐体２と完全に重合する位置から、図１（ｂ）に示されるように、操作部３のキーボード４が完全に外部に露出する位置までの区間で、主筐体２に対する副筐体６のスライド動作が主筐体２の長手方向に沿って許容されている。副筐体６の最大外形と主筐体２の最大外形は実質的に同等である。
【００１７】
副筐体６を図１（ｂ）の位置にスライドさせた状態で外部に露出する副筐体６の表面部分６ａの右端部には、展開式の開閉パネル７がヒンジ８を介して開閉自在に取り付けられ、開閉パネル７を閉じた状態で表側となる開閉パネル７の表面７ａに、前述のキーボード４が配設されている。
【００１８】
キーボード４には、電話番号の入力操作等に用いられる複数のテンキー９，携帯電話１に実装されたアプリケーションプログラムの選択等に利用されるソフトキー１０，ディスプレス１０１に表示される複数の処理項目の候補、例えば、オフフック，オンフック，発信，着信確認等の処理項目から実行対象とする処理項目を選んだり選択対象とする処理項目を切り換えたりするために利用されるカーソルキー１１等が実装されている。
【００１９】
従って、携帯電話１の基本機能である音声による送話や受話は、キーボード４に配置されたテンキー９による電話番号の入力操作やカーソルキー１１によるオフフック処理の選択操作のみで実行可能である。
【００２０】
キーボード４におけるテンキー９は、図１（ｂ）に示されるようにしてキーボード４が引き出された状態で、各キーの並びが、ディスプレイ１０１に固定的に設定された天地左右の表示方向と合致するようにされている。
この実施形態では、ディスプレイ１０１を縦長の姿勢で把持あるいは載置して利用することが前提であるので、図１（ｂ）に示される４行３列のテンキー９の数字の割り当ては、最上段の第１行が左から順に「７」，「８」，「９」、第２行が左から順に「４」，「５」，「６」、第３行が左から順に「１」，「２」，「３」、最下段の第４行が左から順に「０」，「．」となり、各キーの割り当てを示す刻印やステンシルも、ディスプレイ１０１を縦長の姿勢とした状態でユーザが正常に認識できるようにマーキングされている。
【００２１】
フルキーボード５はＱＷＥＲＴＹ配列等に従って複数のキーを配列したもので、図１（ｃ）に示されるように、副筐体６の表面部分６ａと開閉パネル７の裏面７ｂに跨って配備され、開閉パネル７を開いた状態で使用するようになっている。フルキーボード５は、携帯電話１の拡張機能の一種である電子メールの作成等のように、専ら文字の入力操作が必要とされる場合に利用される。
【００２２】
フルキーボード５における各キーは、図１（ｃ）に示されるようにして開閉パネル７を開いてフルキーボード５を引き出した状態で、各キーの並びが、ディスプレイ１０１に固定的に設定された天地左右の表示方向と合致するようにされている。
前述した通り、ディスプレイ１０１を縦長の姿勢で把持あるいは載置して利用することが前提であるので、図１（ｃ）に示される各キーに対する文字の割り当ては、ＱＷＥＲＴＹ配列の場合、最上段の第１行が左から順に「Ｑ」，「Ｗ」，「Ｅ」，「Ｒ」，・・・、第２行が左から順に「Ａ」，「Ｓ」，「Ｄ」，「Ｆ」，・・・、第３行が左から順に「Ｚ」，「Ｘ」，「Ｃ」，「Ｖ」，・・・といった並びとなり、各キーの割り当てを示す刻印やステンシルも、ディスプレイ１０１を縦長の姿勢とした状態でユーザが正常に認識できるようにマーキングされている。
【００２３】
副筐体６の最大外形と主筐体２の最大外形は実質的に同等であるから、副筐体６を主筐体２に完全に重合させ、図１（ａ）に示されるようにして携帯電話１を完全に折り畳んだ状態では、携帯電話１の基本機能の操作に必要とされるキーボード４も携帯電話１の拡張機能の操作に必要とされるフルキーボード５も、主筐体２の正面からの投影面積内に完全に収まることになる。
【００２４】
また、図１（ａ）に示されるような折り畳み状態から図１（ｂ）に示されるように操作部３のみが外部に突出する位置まで副筐体６をスライドさせた段階で操作部３のキーボード４だけが外部に露出し、更に、この状態で開閉パネル７を開くことによって初めて操作部３のフルキーボード５が外部に露出する構造であるから、キーボード４は、フルキーボード５と独立して操作可能位置に引き出せる構成であるといって構わない。
【００２５】
図２は携帯電話１の内部構成について簡略化して示した機能ブロック図である。
【００２６】
ディスプレイ１０１の主要部を構成するＬＣＤ１０１ａは、電話番号の選択表示や着信履歴等の表示、更には、作成過程にある電子メールや受信した電子メールの表示等に利用され、また、タッチパネル１０１ｂの操作で入力されるコマンドはマイクロプロセッサ１６によって処理される。データメモリ部１４には、電子メールのテキストデータや登録済電話番号および電子メールアドレス等が記憶されている。
【００２７】
従来と同様、携帯電話１を通常の通信端末として使用する際には、マイク１３から入力された音声が音声処理部１５でＡ／Ｄ変換されてマイクロプロセッサ１６に転送され、更に、マイクロプロセッサ１６で通信形式データに変換された後、送受信部１７で変調されて内蔵式もしくは伸縮式のアンテナ１８を介して外部に送信される。
【００２８】
また、アンテナ１８で受信された通信電波は送受信部１７で復調されてマイクロプロセッサ１６に転送され、音声データに変換されてから、音声処理部１５でＤ／Ａ変換等の処理操作を受けてスピーカ１２から音声として出力される。
【００２９】
キーボード４にはテンキー９，ソフトキー１０，カーソルキー１１等が実装され、キーボード４に対する入力操作のみで、通常の送話や受話に必要とされる電話番号の入力操作や発信操作およびオフフックやオンフックの操作が実行できるようになっている。
【００３０】
フルキーボード５は、電子メールの作成等に際してテキストデータの入力手段として利用される。
【００３１】
ＲＯＭ１９には、通話や電子メールの作成および電子メールの送受信等に必要とされる処理を実行するための制御プログラムが格納されている。
【００３２】
以上に述べた通り、操作部３に配置されるキーボード４やフルキーボード５の構成を除けば、携帯電話１のハードウェア上の構成に関しては従来のものと同様である。
【００３３】
携帯電話１の基本機能である音声による送話や受話を行なう場合には、主筐体２に対して副筐体６をスライドさせ、携帯電話１の態様を図１（ａ）の状態から図１（ｂ）の状態に変化させるだけの簡単な操作でキーボード４のみを引き出して電話番号の入力操作や発信操作あるいはオフフックやオンフックの操作を行うことができる。
この際、開閉パネル７は閉じられたままの状態にあるので、フルキーボード５が邪魔になることはなく、通常のスライド式携帯電話と同等の使用感が維持される。
【００３４】
また、電子メールの作成などを初めとする拡張機能の操作、例えば、テキストの入力操作等を行う場合には、図１（ｃ）に示されるようにして開閉パネル７を開き、フルキーボード５を露出させてテキストの入力操作等を行う。
フルキーボード５を構成する複数のキーは、開閉パネル７の裏面７ｂと副筐体６の表面部分６ａとを跨ぐ十分な広さのスペースに配置されているので、キー相互間の配設ピッチが極端に小さくなることはなく、専用のペン等を使用しなくても指先で十分に操作することができる。
【００３５】
また、キーボード４の操作によって携帯電話１の基本機能を利用する場合においても、あるいは、フルキーボード５の操作によって携帯電話１の拡張機能を利用する場合においても、オフフック，オンフック，発信，着信確認等の処理項目の選択表示や電話番号の入力表示、更には、入力したテキストや受信した電子メールの文字表示はディスプレイ１０１を縦長の姿勢で把持あるいは載置した状態でユーザが正常に把握できるように表示されるので、ディスプレイ１０１を縦長の姿勢にしたり横長の姿勢にしたりしながら変則的な操作を行うものとは異なり、ディスプレイ１０１に表示される画面の回転処理は全く不要であり、携帯電話１に実装する各種のソフトウェアの開発費も軽減することができる。
【００３６】
しかも、携帯電話１を図１（ａ）のようにして折り畳むことにより、キーボード４やフルキーボード５が主筐体２の正面からの投影面積内に完全に収まるかたちで格納されるので、単一構造の筐体の上下部分にディスプレイやキーボードを配置した図１０，図１１のような携帯情報端末に比べ、携帯電話１の奥行き寸法を大幅に軽減することができる。
【実施例２】
【００３７】
図３は開閉パネル７を中央部で分割して両開き構造とした携帯電話の一実施形態について外観を示した斜視図であり、図３（ａ）では携帯電話を完全に折り畳んだ状態について、また、図３（ｂ）では携帯電話の基本機能の操作に必要とされるキーボードのみを操作可能位置引き出した状態について、更に、図３（ｃ）では携帯電話の拡張機能の操作に必要とされるフルキーボードを操作可能位置に引き出した状態について示している。
【００３８】
図３に示した携帯電話２０においても、主筐体２，副筐体６の構成および携帯電話２０の内部構成は図１および図２に示した実施形態と同様であり、操作部３を構成する展開式の開閉パネル７，キーボード４，フルキーボード５の構成のみが前記とは異なる。
【００３９】
この実施形態では、図３（ｂ）に示されるように、開閉パネル７を中央部で左右に分割して開閉パネル７−１，７−２とし、副筐体６の表面部分６ａの右端部にヒンジ８−１を介して開閉パネル７−１を開閉自在に取り付け、同様に、副筐体６の表面部分６ａの左端部にヒンジ８−２を介して開閉パネル７−２を開閉自在に取り付けている。
【００４０】
開閉パネル７−１，７−２を閉じた状態で表側となる開閉パネル７−１の表面７ａと開閉パネル７−２の表面７ａにキーボード４すなわちテンキー９，ソフトキー１０，カーソルキー１１等を実装する点は前記と同様であるが、カーソルキー１１や中央部に位置するテンキー９に関しては、開閉パネル７−１の表面７ａあるいは開閉パネル７−２の表面７ａに設置できるように、左右の何れかにオフセットして配置する。これらの点に関しては自明であるから図３（ｂ）中での記載は省略している。
【００４１】
また、フルキーボード５を構成する複数のキーは、図３（ｃ）に示されるように、開閉パネル７−１，７−２に重合する副筐体６の表面部分６ａと、開閉パネル７−１の裏面７ｂ、および、開閉パネル７−２の裏面７ｂの３箇所に跨って配備される。
【００４２】
全体としての使い勝手は図１に示した実施形態の携帯電話１と同等であるが、この実施形態では、特に、両開き構造とされた開閉パネル７−１，７−２の裏面を利用してフルキーボード５を配置する構成としているので、ディスプレイ１０１の左右方向の中心位置とフルキーボード５の左右方向の中心位置とを完全に合致させることができ、ユーザがフルキーボード５を操作するときにディスプレイ１０１を視点の中央に位置させることができるといったメリットがある。
【実施例３】
【００４３】
図４はキーボード４の構成を変更した他の一実施形態の携帯電話について外観を示した斜視図であり、図４（ａ）では携帯電話を完全に折り畳んだ状態について、また、図４（ｂ）では携帯電話の拡張機能の操作に必要とされるフルキーボードを操作可能位置に引き出した状態について示している。
【００４４】
図４に示した携帯電話２１においても、主筐体２，副筐体６，開閉パネル７，フルキーボード５の構成および携帯電話２１の内部構成は図１および図２に示した実施形態と同様であるが、図４（ａ）に示されるように、キーボード４上のテンキーを省略し、キーボード４上にソフトキー１０，カーソルキー１１，オフフックキー２２，オンフックキー２３を配備している点が図１の実施形態とは異なる。
【００４５】
通信相手と其の電話番号とを対応させて記録する所謂アドレス帳をデータメモリ部１４に記憶させられる構造の携帯電話２１にあっては、テンキーによる電話番号の入力操作を通話の都度に行う必要はなく、ソフトキー１０，カーソルキー１１の操作によって登録済みの電話番号を読み出すことが可能であるから、携帯電話１の基本機能である音声による送話や受話を行なうためには、必ずしもテンキーは必要なく、オフフックキー２２，オンフックキー２３を設ければ十分である。
【００４６】
このようにして、キーボード４上のテンキーを省略することで、基本機能である送話や受話を行なう際の副筐体６のスライド量を軽減することができ、携帯電２１の奥行き寸法の軽減化も可能となる。
なお、開閉パネル７の裏面にフルキーボード５を配置する必要上、開閉パネル７の上下幅を極端に短縮することはできないが、図４（ａ），図４（ｂ）と図１（ｂ），図１（ｃ）を比較すれば明らかなように、キーボード４にテンキー９を配置するために必要とされるスペース（図１（ｂ）参照）は開閉パネル７の裏面にフルキーボード５を配置するために必要とされるスペースよりも大きいので（図１（ｃ）参照）、キーボード４からテンキー９を省略することにより（図４（ａ）参照）、開閉パネル７の上下幅を切り詰めることができ（図４（ｂ）参照）、携帯電話２１の小型化が可能である。
【実施例４】
【００４７】
図５は主筐体の裏面側に第１キーボードと第２キーボードを引き出し可能な状態で取り付け、第２キーボードにフルキーボードの機能の一部を固定的に割り当てると共に、携帯電話の基本機能の操作に必要とされる機能もしくはフルキーボードの機能の他部の何れか一方を選択的に第１キーボードに割り当てるキー機能選択手段を設けた他の一実施形態の携帯電話について透視図と斜視図を併用して示した図である。
このうち、図５（ａ）では携帯電話を完全に折り畳んだ状態について透視図で示し、また、図５（ｂ）では携帯電話の基本機能の操作に必要とされるキーボードである第１キーボードのみを操作可能位置引き出した状態について透視図で示している。また、図５（ｄ）では携帯電話の拡張機能の操作に必要とされるフルキーボードを構成する第１キーボードと第２キーボードを共に操作可能位置に引き出した状態について斜視図で示し、図５（ｃ）では第２キーボードの取り出しの過程について斜視図で示している。
【００４８】
図６は携帯電話の内部構成について簡略化して示した機能ブロック図である。
【００４９】
この実施形態の携帯電話２４は、図５（ａ）に示されるように、ディスプレイ１０１を有する主筐体２と、第１キーボード２５および第２キーボード２６からなる副筐体６とを重合して構成される。
【００５０】
ディスプレイ１０１は、ＬＣＤ１０１ａからなる表示部の上にタッチパネル１０１ｂを重合して構成したもので、タッチパネル１０１ｂに対する押圧操作によって、携帯電話２４に対して簡単なコマンドの入力操作等が行えるようになっている。
【００５１】
また、主筐体２の上端部にはスピーカ１２が配置され、副筐体６の一部を構成する第１キーボード２５の下端部にはマイク１３が配置されている。
【００５２】
副筐体６の一部を構成する第１キーボード２５は、主筐体２の裏面側の一部、より具体的には、主筐体２の裏面側の下側約１／２の部分を覆う面積を有する。
【００５３】
第１キーボード２５は、主筐体２の裏面側にスライド可能に取り付けられ、図５（ａ）に示されるように、第１キーボード２５が主筐体２と完全に重合する位置から、図５（ｂ）に示されるように、第１キーボード２５の主要部が完全に外部に露出する位置までの区間で、主筐体２に対する第１キーボード２５のスライド動作が主筐体２の長手方向に沿って許容されている。
【００５４】
また、第２キーボード２６は、主筐体２の裏面側の他の一部、より具体的には、主筐体２の裏面側の上側約１／２の部分を覆う面積を有し、第１キーボード２５と当接する辺の一端部２７すなわち図５（ａ）に示される右下隅の部分で、第１キーボード２５に対して１８０°回転可能な状態で第１キーボード２５に枢着して取り付けられている。
【００５５】
第１キーボード２５と第２キーボード２６を合わせた副筐体６の最大外形と主筐体２の最大外形は実質的に同等である。
【００５６】
第１キーボード２５は携帯電話２４の基本機能の操作に必要とされるキーボードに相当するもので、ソフトキーやカーソルキーに加え電話番号の入力操作等に用いられるテンキーやオンフックキーおよびオフフックキー等を初めとする複数のキー２８が例えば図５（ｂ）に示されるようにして配備されている。
【００５７】
但し、これらのキー２８の機能は固定的なものではなく、図６に示されるＲＯＭ３０に格納されたキー入力読替テーブルに記憶された対応表に基いて、基本モードが選択されている状況下では各キー２８がテンキー，オンフックキー，オフフックキー等として機能する一方、拡張モードが選択されている状況下では、各キー２８がフルキーボードの一部として機能するようになっている。
この実施形態では、例えば、基本モードが選択されている状況下で第１キーボード２５上においてテンキーの「１」，「２」，「３」，「４」，「５」，「６」，「７」，「８」，「９」として機能するキーが、拡張モードが選択されている状況下においては「Ｚ」，「Ｘ」，「Ｃ」，「Ａ」，「Ｓ」，「Ｄ」，「Ｑ」，「Ｗ」，「Ｅ」として機能するようになっているが、これは飽くまでもキーの機能の割り付けの一例であって、割り付けの対応関係を制限するものではない。
【００５８】
基本モードと拡張モードは第１キーボード２５上に設けられたファンクションロックキー（図示せず）の操作によってサイクリックに切り換えられるようになっている。このような切替処理は、ユーザによるファンクションロックキーの操作を、キー機能選択手段の主要部を構成するマイクロプロセッサ２９が検知し、同マイクロプロセッサ２９が内部メモリに基本モード選択フラグもしくは拡張モード選択フラグの何れか一方をセットした後、ユーザによる第１キーボード２５上のキー２８の操作が検出される度に、キー機能選択手段の主要部を構成するマイクロプロセッサ２９が基本モード選択フラグや拡張モード選択フラグのオン・オフ状態を参照し、フラグのオン・オフ状態に基いてキー機能選択手段の一部を構成する前述のキー入力読替テーブルから基本モード用のキー２８の機能、例えば、「１」，「２」，「３」，「４」，「５」，「６」，「７」，「８」，「９」の数値を読み込んだり、あるいは、拡張モード用のキー２８の機能、例えば、「Ｚ」，「Ｘ」，「Ｃ」，「Ａ」，「Ｓ」，「Ｄ」，「Ｑ」，「Ｗ」，「Ｅ」の文字を読み込んだりすることによって達成されるが、この種の読み替え処理に関しては既に公知事項であるので、キー機能選択手段としてのマイクロプロセッサ２９の内部処理やキー入力読替テーブルの具体的な構成に関しての詳細な説明は省略する。
【００５９】
つまり、第１キーボード２５は基本モードが選択されている状況下においては携帯電話２４の基本機能の操作に必要とされるキーボードとして機能し、また、拡張モードが選択されている状況下にあってはフルキーボードの一部として機能することになる。
【００６０】
携帯電話２４の基本機能である音声による送話や受話は、第１キーボード２５に配置されたキー２８の操作のみで実行可能である。
【００６１】
一方、第２キーボード２６には、フルキーボードの機能の一部、より具体的には、拡張モードが選択されている状況下において第１キーボード２５のキー２８によって実現されるフルキーボードの機能を補完するために必要とされる複数のキー３１が例えば図５（ｄ）に示されるようにして配備されている。
仮に、拡張モードが選択されている状況下において第１キーボード２５のキー２８によって「Ｚ」，「Ｘ」，「Ｃ」，「Ｖ」，「Ｂ」，「Ａ」，「Ｓ」，「Ｄ」，「Ｆ」，「Ｇ」，「Ｑ」，「Ｗ」，「Ｅ」，「Ｒ」，「Ｔ」の文字入力が可能であるとすれば、第２キーボード２６のキー３１によって「Ｎ」，「Ｍ」，「Ｈ」，「Ｊ」，「Ｋ」，「Ｌ」，「Ｙ」，「Ｕ」，「Ｉ」，「Ｏ」，「Ｐ」の文字入力が実現される必要がある。
第１キーボード２５の場合とは相違し、第２キーボード２６のキー３１に対する機能の割り付けは固定的で構わない。
【００６２】
つまり、この実施形態の携帯電話２４においては、第１キーボード２５と第２キーボード２６を共に図５（ｄ）に示されるような操作可能位置に引き出し、更に、ファンクションロックキー（図示せず）の操作によって携帯電話２４のモードを拡張モードに切り替えた時点で、第１キーボード２５と第２キーボード２６とを合わせて構成されるキーボードが、フルキーボード５として機能することになる。
【００６３】
拡張モード下にある第１キーボード２５と第２キーボード２６を組み合わせて構成されるフルキーボード５はＱＷＥＲＴＹ配列等に従って複数のキー２８，３１を配列したものであり、携帯電話２４の拡張機能の一種である電子メールの作成等のように、専ら文字の入力操作が必要とされる場合に利用される。
【００６４】
フルキーボード５におけるキー２８，３１は、図５（ｄ）に示されるようにして第１キーボード２５と第２キーボード２６を組み合わせた状態で、各キー２８，３１の並びが、ディスプレイ１０１に固定的に設定された天地左右の表示方向と合致するようにされている。
ディスプレイ１０１を縦長の姿勢で把持あるいは載置して利用することが前提であるから、図５（ｄ）に示される各キー２８，３１に対する文字の割り当ては、ＱＷＥＲＴＹ配列の場合、最上段の第１行が左から順に「Ｑ」（基本モードでは「７」），「Ｗ」（基本モードでは「８」），「Ｅ」（基本モードでは「９」），「Ｒ」，・・・、第２行が左から順に「Ａ」（基本モードでは「４」），「Ｓ」（基本モードでは「５」），「Ｄ」（基本モードでは「６」），「Ｆ」，・・・、第３行が左から順に「Ｚ」（基本モードでは「１」），「Ｘ」（基本モードでは「２」），「Ｃ」（基本モードでは「３」），「Ｖ」，・・・といった並びとなり、各キーの割り当てを示す刻印やステンシルも、ディスプレイ１０１を縦長の姿勢とした状態でユーザが正常に認識できるようにマーキングされている。
また、各キーの割り当てを示す刻印やステンシルは、基本モードと拡張モードで重複して使用されるキーつまり第１キーボード２５のキー２８の一部にあっては、基本モードのものと拡張モードのものとが並べてマーキングされている。
【００６５】
第１キーボード２５と第２キーボード２６からなる副筐体６の最大外形と主筐体２の最大外形は実質的に同等であるから、副筐体６を主筐体２に完全に重合させ、図５（ａ）に示されるようにして携帯電話２４を完全に折り畳んだ状態では、携帯電話２４の基本機能の操作に必要とされるキーボードに相当する第１キーボード２５も、携帯電話２４の拡張機能の操作に必要とされるフルキーボード５要するに第１キーボード２５と第２キーボード２６を合わせたキーボードも、主筐体２の正面からの投影面積内に完全に収まることになる。
【００６６】
第１キーボード２５は主筐体２の裏面側にスライド可能に取り付けられているので、この第１キーボード２５および該第１キーボード２５に枢着された第２キーボード２６を一体的にスライドさせて、携帯電話２４の基本機能の操作に必要とされるキーボードに相当する第１キーボード２５のみを図５（ｂ）に示されるような操作可能位置に引き出すことができる。そして、更に、この状態から第２キーボード２６を其の一端部２７を中心として図５（ｃ）に示されるように時計方向に１８０°回転させると、図５（ｄ）に示されるようにして第１キーボード２５と第２キーボード２６が横方向に隙間なく並び、これら２つのキーボード２５，２６によって、携帯電話２４の拡張機能の操作に必要とされるフルキーボード５が形成される。従って、携帯電話２４の基本機能の操作に必要とされるキーボードに相当する第１キーボード２５は、第１キーボード２５と第２キーボード２６からなるフルキーボード５と独立して操作可能位置に引き出せる構成であるといってよい。
【００６７】
マイクロプロセッサ２９およびＲＯＭ３０内のキー入力読替テーブルがキー機能選択手段として機能する点を除き、携帯電話２４の実質的な内部構成（図６参照）は図２に示した携帯電話１のものと同様である。
【００６８】
携帯電話２４の基本機能である音声による送話や受話を行なう場合には、主筐体２に対して第１キーボード２５をスライドさせ、携帯電話２４の態様を図５（ａ）の状態から図５（ｂ）の状態に変化させるだけの簡単な操作で、基本機能の操作に必要とされるキーボードのみを引き出して電話番号の入力操作や発信操作あるいはオフフックやオンフックの操作を行うことができる。携帯電話２４のモードはデフォルトで基本モードに設定されている。
この際、第２キーボード２６が突出して邪魔になることはないので、通常のスライド式携帯電話と同等の使用感が維持される。
【００６９】
また、電子メールの作成などを初めとする拡張機能の操作、例えば、テキストの入力操作等を行う場合には、図５（ｃ）に示されるようにして第２キーボード２６を１８０°回転させ、第１キーボード２５と第２キーボード２６を左右に並べてフルキーボード５を形成させると共に、第１キーボード２５上に設けられたファンクションロックキー（図示せず）を操作して、携帯電話２４のモードを基本モードから拡張モードに切り替える。
なお、テキスト入力の最中にテンキー入力が必要となった場合には、ファンクションロックキー（図示せず）を再び操作して携帯電話２４のモードを拡張モードから基本モードに切り替え、第１キーボード２５上のキー２８を利用して数値入力を行なうといったこともできる。
フルキーボード５を構成する複数のキー２８，３１は、第１キーボード２５と第２キーボード２６を跨ぐ十分な広さのスペースに配置されているので、キー相互間の配設ピッチが極端に小さくなることはなく、専用のペン等を使用しなくても指先で十分に操作することができる。
【００７０】
また、第１キーボード２５のみを用いて携帯電話２４の基本機能を利用する場合においても、あるいは、第１キーボード２５と第２キーボード２６を合わせたフルキーボード５の操作によって携帯電話２４の拡張機能を利用する場合においても、オフフック，オンフック，発信，着信確認等の処理項目の選択表示や電話番号の入力表示、更には、入力したテキストや受信した電子メールの文字表示はディスプレイ１０１を縦長の姿勢で把持あるいは載置した状態でユーザが正常に把握できるように表示されるので、ディスプレイ１０１を縦長の姿勢にしたり横長の姿勢にしたりしながら変則的な操作を行うものとは異なり、ディスプレイ１０１に表示される画面の回転処理は全く不要であり、携帯電話２４に実装する各種のソフトウェアの開発費も軽減することができる。
【００７１】
しかも、携帯電話２４を図５（ａ）のようにして折り畳むことにより、第１キーボード２５や第２キーボード２６が主筐体２の正面からの投影面積内に完全に収まるかたちで格納されるので、単一構造の筐体の上下部分にディスプレイやキーボードを配置した図１０，図１１のような携帯情報端末に比べ、携帯電話２４の奥行き寸法を大幅に軽減することができる。
【実施例５】
【００７２】
図７は主筐体の裏面側に第１キーボードと第２キーボードを引き出し可能な状態で取り付け、第２キーボードにフルキーボードの機能の一部を固定的に割り当てると共に、携帯電話の基本機能の操作に必要とされる機能もしくはフルキーボードの機能の他部の何れか一方を選択的に第１キーボードに割り当てるキー機能選択手段を設けた更に別の一実施形態の携帯電話について透視図と斜視図を併用して示した図である。
このうち、図７（ａ）では携帯電話を完全に折り畳んだ状態について透視図で示し、また、図７（ｂ）では第１キーボードおよび第２キーボードの取り出しの過程について斜視図で示し、図７（ｃ）では携帯電話の拡張機能の操作に必要とされるフルキーボードを構成する第１キーボードと第２キーボードを共に操作可能位置に引き出した状態について斜視図で示している。
【００７３】
また、図８は携帯電話の基本機能の操作に必要とされるキーボードである第１キーボードのみを操作可能位置引き出した状態について示した斜視図であり、図９は第１キーボードのキー配列の一例について具体的に示した図である。
【００７４】
携帯電話の内部構成に関しては図６と同様である。但し、この携帯電話では前述した各実施形態とは相違し、ディスプレイを横長の姿勢で把持あるいは載置して利用することを前提としている。
【００７５】
この実施形態の携帯電話３２は、図７（ａ）に示されるように、ディスプレイ１０１を有する主筐体２と、第１キーボード２５および第２キーボード２６からなる副筐体６とを重合して構成される。
【００７６】
また、主筐体２の右端部にはスピーカ１２が配置され、主筐体２の左端部にはマイク１３が配置されている。
【００７７】
副筐体６の一部を構成する第１キーボード２５は、主筐体２の裏面側の一部、より具体的には、主筐体２の裏面側の右側約１／２の部分を覆う面積を有し、また、第２キーボード２６は、主筐体２の裏面側の他の一部、より具体的には、主筐体２の裏面側の左側約１／２の部分を覆う面積を有し、その各々が、相互に当接する辺の一端部２７で主筐体２に対して９０°回転可能な状態で主筐体２に枢着して取り付けられている。
【００７８】
第１キーボード２５と第２キーボード２６を合わせた副筐体６の最大外形と主筐体２の最大外形は実質的に同等である。
【００７９】
第１キーボード２５は携帯電話３２の基本機能の操作に必要とされるキーボードに相当するもので、ソフトキーやカーソルキーに加え電話番号の入力操作等に用いられるテンキーやオンフックキーおよびオフフックキー等を初めとする複数のキー２８が例えば図７（ｃ）に示されるようにして配備されている。
【００８０】
但し、これらのキー２８の機能は固定的なものではなく、図６に示されるＲＯＭ３０に格納されたキー入力読替テーブルに記憶された対応表に基いて、基本モードが選択されている状況下では各キー２８がテンキー，オンフックキー，オフフックキー等として機能する一方、拡張モードが選択されている状況下では、各キー２８がフルキーボードの一部として機能するようになっている。
この実施形態では、例えば、基本モードが選択されている状況下では図９に示されるように第１キーボード２５上においてテンキーの「１」，「２」，「４」，「５」，「６」，「７」，「８」として機能するキーが、拡張モードが選択されている状況下においては「Ｙ」，「Ｕ」，「Ｈ」，「Ｊ」，「Ｋ」，「Ｎ」，「Ｍ」として機能するようになっているが、これは飽くまでもキーの機能の割り付けの一例であって、割り付けの対応関係を制限するものではない。
【００８１】
基本モードと拡張モードは第１キーボード２５上に設けられたファンクションロックキー（図示せず）の操作によって図６に示した実施形態の場合と同様にしてサイクリックに切り換えられるようになっている。このような切替処理は、ユーザによるファンクションロックキーの操作を、キー機能選択手段の主要部を構成するマイクロプロセッサ２９が検知し、同マイクロプロセッサ２９が内部メモリに基本モード選択フラグもしくは拡張モード選択フラグの何れか一方をセットした後、ユーザによる第１キーボード２５上のキー２８の操作が検出される度に、キー機能選択手段の主要部を構成するマイクロプロセッサ２９が基本モード選択フラグや拡張モード選択フラグのオン・オフ状態を参照し、フラグのオン・オフ状態に基いてキー機能選択手段の一部を構成する前述のキー入力読替テーブルから基本モード用のキー２８の機能、例えば、「１」，「２」，「４」，「５」，「６」，「７」，「８」の数値を読み込んだり、あるいは、拡張モード用のキー２８の機能、例えば、「Ｙ」，「Ｕ」，「Ｈ」，「Ｊ」，「Ｋ」，「Ｎ」，「Ｍ」の文字を読み込んだりすることによって達成されるが、この種の読み替え処理に関しては既に公知事項であるので、キー機能選択手段としてのマイクロプロセッサ２９の内部処理やキー入力読替テーブルの具体的な構成に関しての詳細な説明は省略する。
【００８２】
つまり、第１キーボード２５は基本モードが選択されている状況下においては携帯電話３２の基本機能の操作に必要とされるキーボードとして機能し、また、拡張モードが選択されている状況下にあってはフルキーボードの一部として機能することになる。
【００８３】
携帯電話３２の基本機能である音声による送話や受話は、第１キーボード２５に配置されたキー２８の操作のみで実行可能である。
【００８４】
一方、第２キーボード２６には、フルキーボードの機能の一部、より具体的には、拡張モードが選択されている状況下において第１キーボード２５のキー２８によって実現されるフルキーボードの機能を補完するために必要とされる複数のキー３１が例えば図７（ｃ）に示されるようにして配備されている。
仮に、拡張モードが選択されている状況下において第１キーボード２５のキー２８によって「Ｙ」，「Ｕ」，「Ｉ」，「Ｏ」，「Ｐ」，「Ｈ」，「Ｊ」，「Ｋ」，「Ｌ」，「Ｎ」，「Ｍ」の文字入力が可能であるとすれば、第２キーボード２６のキー３１によって「Ｑ」，「Ｗ」，「Ｅ」，「Ｒ」，「Ｔ」，「Ａ」，「Ｓ」，「Ｄ」，「Ｆ」，「Ｇ」，「Ｚ」，「Ｘ」，「Ｃ」，「Ｖ」，「Ｂ」の文字入力が実現される必要がある。
第１キーボード２５の場合とは相違し、第２キーボード２６のキー３１に対する機能の割り付けは固定的で構わない。
【００８５】
つまり、この実施形態の携帯電話３２においては、第１キーボード２５と第２キーボード２６を共に図７（ｃ）に示されるような操作可能位置に引き出し、更に、ファンクションロックキー（図示せず）の操作によって携帯電話３２のモードを拡張モードに切り替えた時点で、第１キーボード２５と第２キーボード２６とを合わせて構成されるキーボードが、フルキーボード５として機能することになる。
【００８６】
拡張モード下にある第１キーボード２５と第２キーボード２６を組み合わせて構成されるフルキーボード５はＱＷＥＲＴＹ配列等に従って複数のキー２８，３１を配列したものであり、携帯電話３２の拡張機能の一種である電子メールの作成等のように、専ら文字の入力操作が必要とされる場合に利用される。
【００８７】
フルキーボード５におけるキー２８，３１は、図７（ｃ）に示されるようにして第１キーボード２５と第２キーボード２６を組み合わせた状態で、各キー２８，３１の並びが、ディスプレイ１０１に固定的に設定された天地左右の表示方向と合致するようにされている。
ディスプレイ１０１を横長の姿勢で把持あるいは載置して利用することが前提であるから、図７（ｃ）に示される各キー２８，３１に対する文字の割り当ては、ＱＷＥＲＴＹ配列の場合、最上段の第１行が左から順に「Ｑ」，「Ｗ」，「Ｅ」，「Ｒ」，・・・、第２行が左から順に「Ａ」，「Ｓ」，「Ｄ」，「Ｆ」，・・・、第３行が左から順に「Ｚ」，「Ｘ」，「Ｃ」，「Ｖ」，・・・といった並びとなり、各キーの割り当てを示す刻印やステンシルも、ディスプレイ１０１を横長の姿勢とした状態でユーザが正常に認識できるようにマーキングされている。
また、各キーの割り当てを示す刻印やステンシルは、基本モードと拡張モードで重複して使用されるキーつまり第１キーボード２５のキー２８の一部にあっては、例えば、図９に示されるようにして、基本モードのものと拡張モードのものとが並べてマーキングされている。
【００８８】
第１キーボード２５と第２キーボード２６からなる副筐体６の最大外形と主筐体２の最大外形は実質的に同等であるから、副筐体６を主筐体２に完全に重合させ、図７（ａ）に示されるようにして携帯電話３２を完全に折り畳んだ状態では、携帯電話３２の基本機能の操作に必要とされるキーボードに相当する第１キーボード２５も、携帯電話３２の拡張機能の操作に必要とされるフルキーボード５要するに第１キーボード２５と第２キーボード２６を合わせたキーボードも、主筐体２の正面からの投影面積内に完全に収まることになる。
【００８９】
第１キーボード２５は主筐体２の裏面側で９０°回転可能に取り付けられているので、この第１キーボード２５を図７（ａ）の状態から時計方向に９０°回転させることで、携帯電話３２の基本機能の操作に必要とされるキーボードに相当する第１キーボード２５のみを図８に示されるような操作可能位置に引き出すことができる。そして、更に、この状態から第２キーボード２６を反時計方向に９０°回転させて引き出すと、図７（ｃ）に示されるようにして第１キーボード２５と第２キーボード２６が横方向に隙間なく並び、これら２つのキーボード２５，２６によって、携帯電話３２の拡張機能の操作に必要とされるフルキーボード５が形成される。従って、携帯電話３２の基本機能の操作に必要とされるキーボードに相当する第１キーボード２５は、第１キーボード２５と第２キーボード２６からなるフルキーボード５と独立して操作可能位置に引き出せる構成であるといってよい。
【００９０】
携帯電話３２の基本機能である音声による送話や受話を行なう場合には、主筐体２に対して第１キーボード２５を時計方向に９０°回転させ、携帯電話３２の態様を図７（ａ）の状態から図８の状態に変化させるだけの簡単な操作で、基本機能の操作に必要とされるキーボードのみを引き出して電話番号の入力操作や発信操作あるいはオフフックやオンフックの操作を行うことができる。携帯電話３２のモードはデフォルトで基本モードに設定されている。
第１キーボード２５のみを突出させた状態では、通常のスライド式携帯電話と同様に片手で携帯電話３２を把持してテンキー等の操作を行うことができる。
【００９１】
また、電子メールの作成などを初めとする拡張機能の操作、例えば、テキストの入力操作等を行う場合には、図７（ｃ）に示されるようにして第１キーボード２５を時計方向に９０°回転させると共に第２キーボード２６を反時計方向に９０°回転させ、第１キーボード２５と第２キーボード２６を左右に並べてフルキーボード５を形成させると共に、第１キーボード２５上に設けられたファンクションロックキー（図示せず）を操作して、携帯電話３２のモードを基本モードから拡張モードに切り替える。
テキスト入力の最中にテンキー入力が必要となった場合には、ファンクションロックキー（図示せず）を再び操作して携帯電話３２のモードを拡張モードから基本モードに切り替え、第１キーボード２５上のキー２８を利用して数値入力を行なうといったことも可能である。
フルキーボード５を構成する複数のキー２８，３１は、第１キーボード２５と第２キーボード２６を跨ぐ十分な広さのスペースに配置されているので、キー相互間の配設ピッチが極端に小さくなることはなく、専用のペン等を使用しなくても指先で十分に操作することができる。
【００９２】
また、第１キーボード２５のみを用いて携帯電話３２の基本機能を利用する場合においても、あるいは、第１キーボード２５と第２キーボード２６を合わせたフルキーボード５の操作によって携帯電話３２の拡張機能を利用する場合においても、オフフック，オンフック，発信，着信確認等の処理項目の選択表示や電話番号の入力表示、更には、入力したテキストや受信した電子メールの文字表示はディスプレイ１０１を横長の姿勢で把持あるいは載置した状態でユーザが正常に把握できるように表示されるので、ディスプレイ１０１を縦長の姿勢にしたり横長の姿勢にしたりしながら変則的な操作を行うものとは異なり、ディスプレイ１０１に表示される画面の回転処理は全く不要であり、携帯電話３２に実装する各種のソフトウェアの開発費も軽減することができる。
【００９３】
しかも、携帯電話３２を図７（ａ）のようにして折り畳むことにより、第１キーボード２５や第２キーボード２６が主筐体２の正面からの投影面積内に完全に収まるかたちで格納されるので、携帯電話３２の寸法を大幅に軽減することができる。
【００９４】
また、図１，図３，図４，図５に示した実施形態とは違い、スライド機構が不要であることから装置の構造の更なる簡略化や小型化が実現される。
【図面の簡単な説明】
【００９５】
【図１】本発明を携帯情報端末の一種である携帯電話に適用した場合の一実施形態について外観を示した斜視図であり、図１（ａ）は携帯電話を完全に折り畳んだ状態について、また、図１（ｂ）は携帯電話の基本機能の操作に必要とされるキーボードのみを操作可能位置引き出した状態について、更に、図１（ｃ）は携帯電話の拡張機能の操作に必要とされるフルキーボードを操作可能位置に引き出した状態について示している（実施例１）。
【図２】同実施形態の携帯電話の内部構成について簡略化して示した機能ブロック図である（実施例１）。
【図３】開閉パネルを中央部で分割して両開き構造とした携帯電話の一実施形態について外観を示した斜視図であり、図３（ａ）は携帯電話を完全に折り畳んだ状態について、また、図３（ｂ）は携帯電話の基本機能の操作に必要とされるキーボードのみを操作可能位置引き出した状態について、更に、図３（ｃ）は携帯電話の拡張機能の操作に必要とされるフルキーボードを操作可能位置に引き出した状態について示している（実施例２）。
【図４】キーボードの構成を変更した他の一実施形態の携帯電話について外観を示した斜視図であり、図４（ａ）は携帯電話を完全に折り畳んだ状態について、また、図４（ｂ）は携帯電話の拡張機能の操作に必要とされるフルキーボードを操作可能位置に引き出した状態について示している（実施例３）。
【図５】図５は主筐体の裏面側に第１キーボードと第２キーボードを引き出し可能な状態で取り付けた他の一実施形態の携帯電話について透視図と斜視図を併用して示した図であり、図５（ａ）は携帯電話を完全に折り畳んだ状態について示した透視図、また、図５（ｂ）は携帯電話の基本機能の操作に必要とされるキーボードである第１キーボードのみを操作可能位置引き出した状態について示した透視図、図５（ｃ）は第２キーボードの取り出しの過程について示した斜視図、更に、図５（ｄ）は携帯電話の拡張機能の操作に必要とされるフルキーボードを構成する第１キーボードと第２キーボードを共に操作可能位置に引き出した状態について示した斜視図である（実施例４）。
【図６】同実施形態の携帯電話の内部構成について簡略化して示した機能ブロック図である（実施例４）。
【図７】図７は主筐体の裏面側に第１キーボードと第２キーボードを引き出し可能な状態で取り付けた更に別の一実施形態の携帯電話について透視図と斜視図を併用して示した図であり、図７（ａ）は携帯電話を完全に折り畳んだ状態について透視図で示し、また、図７（ｂ）は第１キーボードおよび第２キーボードの取り出しの過程について斜視図で示し、図７（ｃ）は携帯電話の拡張機能の操作に必要とされるフルキーボードを構成する第１キーボードと第２キーボードを共に操作可能位置に引き出した状態について斜視図で示している（実施例５）。
【図８】同実施形態の携帯電話の基本機能の操作に必要とされるキーボードである第１キーボードのみを操作可能位置引き出した状態について示した斜視図である（実施例５）。
【図９】同実施形態の携帯電話の基本機能の操作に必要とされるキーボードである第１キーボードのキー配列の一例について具体的に示した図である（実施例５）。
【図１０】ディスプレイを有する筐体の下端部にフルキーボードを実装した一般的な携帯情報端末の構造について示した斜視図である。
【図１１】ディスプレイを有する筐体の下端部に展開式の開閉パネルを設け、開閉パネルの表側に電子装置の基本機能の操作に必要とされるキーボードを配備する一方、開閉パネルの裏側および当該開閉パネルに重合する筐体の表面部分にフルキーボードを配備した電子装置の構造について示した斜視図である。
【図１２】フルキーボードを備えた筐体上にディスプレイを回転可能に取り付けると共に、筐体の下面側にテンキーケースをスライド可能に取り付けた携帯型電子機器の構造について示した斜視図である。
【符号の説明】
【００９６】
１  携帯電話（携帯情報端末）
２  主筐体
３  操作部
４  キーボード
５  フルキーボード
６  副筐体
６ａ  副筐体の表面部分
７，７−１，７−２  開閉パネル
７ａ  開閉パネルの表側の面
７ｂ  開閉パネルの裏側の面
８，８−１，８−２  ヒンジ
９  テンキー
１０  ソフトキー
１１  カーソルキー
１２  スピーカ
１３  マイク
１４  データメモリ部
１５  音声処理部
１６  マイクロプロセッサ
１７  送受信部
１８  アンテナ
１９  ＲＯＭ
２０  携帯電話（携帯情報端末）
２１  携帯電話（携帯情報端末）
２２  オフフックキー
２３  オンフックキー
２４  携帯電話（携帯情報端末）
２５  第１キーボード
２６  第２キーボード
２７  第２キーボードにおいて第１キーボードと当接する辺の一端部
２８  キー
２９  マイクロプロセッサ（キー機能選択手段の一部）
３０  ＲＯＭ（キー機能選択手段の一部）
３１  キー
３２  携帯電話（携帯情報端末）
１００  筐体
１００ａ  筐体の表面部分
１０１  ディスプレイ
１０１ａ  ＬＣＤ
１０１ｂ  タッチパネル
１０２  フルキーボード
１０３  開閉パネル
１０４  キーボード
【図１】
0004915338.tif 000002
【図２】
0004915338.tif 000003
【図３】
0004915338.tif 000004
【図４】
0004915338.tif 000005
【図５】
0004915338.tif 000006
【図６】
0004915338.tif 000007
【図７】
0004915338.tif 000008
【図８】
0004915338.tif 000009
【図９】
0004915338.tif 000010
【図１０】
0004915338.tif 000011
【図１１】
0004915338.tif 000012
【図１２】
0004915338.tif 000013